(57)【要約】テレビ受信機、又は他の何らかの表示装置は、ディスプレイ、ビデオ信号処理回路、表示駆動回路及び前記ビデオ信号処理回路と前記表示駆動回路とを制御する制御ユニットを含む。テレビ受信機が視聴されてない場合のテレビ受信機による電力消費を低減させるため、当該テレビ受信機は、テレビ受信機を収容する部屋における人の存在を検出する存在検出器を含む。存在検出器が、人の存在を検出しない場合、制御ユニットは、ビデオ信号処理回路若しくは表示駆動回路のどちらか、又は両方をオフにすることによって、ディスプレイを無効にする。人が部屋に再び入る場合、存在検出器は、このことを制御ユニットへ知らせ、その後この制御ユニットは、ビデオ信号処理回路及び／又は表示駆動回路をオンにすることによってディスプレイを再び活動状態にする。ディスプレイを不用意に無効にすることを防ぐため、制御ユニットは、存在検出器が人の存在を既定の時間にわたり検出しなくなるまで待機する。
2005539269.tif 000002
【特許請求の範囲】
【請求項１】
ディスプレイと、
画像信号を発生し、前記画像信号が前記ディスプレイの入力へ供給されるビデオ信号処理回路と、
前記ディスプレイを制御する制御信号を発生する表示駆動回路と、
前記ビデオ信号処理回路及び前記表示駆動回路を制御する制御ユニットと、
を有する表示装置であって、
当該表示装置が、更に、
当該表示装置を収容する部屋における人の存在を検出する手段と、
前記検出手段が、該部屋において人の存在を検出しない場合、前記ビデオ信号処理回路及び前記表示駆動回路の少なくとも１つを無効にする手段と、
を有する、表示装置。
【請求項２】
請求項１に記載の表示装置であって、前記無効にする手段は、前記ビデオ信号処理回路及び前記表示駆動回路の少なくとも１つを無効にする前に、前記検出手段が人の存在を既定の時間にわたり検出しなくなるまで待機する、表示装置。
【請求項３】
前記検出手段が、動き検出器を有する、請求項１に記載の表示装置。
【請求項４】
前記検出手段が、赤外線熱検出器を有する、請求項１に記載の表示装置。
【請求項５】
前記検出手段が、更に赤外線熱検出器を有する、請求項３に記載の表示装置。
【請求項６】
テレビ信号を受信する入力手段と、
前記テレビ信号を復調すると共にオーディオ信号、ビデオ信号及び同期信号を供給する復調器と、
前記オーディオ信号を処理すると共に対応する音信号を発生するオーディオ信号処理回路と、
前記オーディオ信号処理回路へ連結され、前記音信号に対応する音を発生するスピーカ手段と、
前記ビデオ信号を処理すると共に対応する表示信号を発生するビデオ信号処理回路と、
前記表示信号を受信する入力を有する表示装置であって、前記表示装置は、前記表示信号に対応する画像を形成する表示装置と、
入力を有し、前記同期信号を処理すると共に前記表示装置に関する制御信号を発生する表示駆動回路と、
前記オーディオ信号処理回路、前記ビデオ信号処理回路及び前記表示駆動回路を制御する制御ユニットと、
を有するテレビ受信機であって、
当該テレビ受信機が、更に、
当該テレビ受信機を収容する部屋における人の存在を検出する手段と、
前記検出手段が、該部屋において人の存在を検出しない場合、前記ビデオ信号処理回路及び前記表示駆動回路の少なくとも１つを無効にする手段と、
を有する、テレビ受信機。
【請求項７】
請求項６に記載のテレビ受信機であって、前記無効にする手段が、前記ビデオ信号処理回路及び前記表示駆動回路の少なくとも１つを無効にする前に、前記検出手段が人の存在を既定の時間にわたり検出しなくなるまで待機する、テレビ受信機。
【請求項８】
前記検出手段が、動き検出器を有する、請求項６に記載のテレビ受信機。
【請求項９】
前記検出手段が、赤外線熱検出器を有する、請求項６に記載のテレビ受信機。
【請求項１０】
前記検出手段が、更に赤外線熱検出器を有する、請求項８に記載のテレビ受信機。
【発明の詳細な説明】
【技術分野】
【０００１】
本発明は、テレビ受信機に関し、特に、テレビ受信によって消費される電力の量を低減する装置に関する。
【背景技術】
【０００２】
一般家庭において、その家庭の居住者が、別の部屋で何か他のことをして忙しい間、ある部屋においてテレビ受信機がオンのままに残されることは、非常に良くあることである。居住者は、テレビ受信機の電源をオフにすることが出来るが、この居住者が、オーディオ・サウンドトラックを聞くことによって、又は放送されている番組の特に所望の部分の開始、例えばニュースのスポーツ報道の始まりを聞くことによって、所望の番組についていくことが出来るようにするために、この居住者は、通常テレビ受信機をオンにしたままにする。
【０００３】
テレビ受信機において、チューナ、オーディオ信号処理回路及びビデオ信号処理回路を含む、電力を消費する様々な回路がある。これらの回路の中で、ビデオ信号処理回路のビデオ表示部分は、特に陰極線管（ＣＲＴ）の場合、かなりの電力の量を消費し、この場合、電子銃のグリッドを適切な温度へ加熱するのと共に表示画像を形成するために陰極線管の前表面を横断して走査される電子ビームを発生するのに、多量の電力が必要である。
【発明の開示】
【発明が解決しようとする課題】
【０００４】
本発明の目的は、視聴者が、表示装置の設置してある部屋にいない場合、ディスプレイをオフにすることによって電力消費が低減される、表示装置を提供することである。
【課題を解決するための手段】
【０００５】
この目的は、ディスプレイと、表示信号を発生し前記表示信号が前記ディスプレイの入力へ供給されるビデオ信号処理回路と、前記ディスプレイを制御する制御信号を発生する表示駆動回路と、前記ビデオ信号処理回路及び前記表示駆動回路を制御する制御ユニットとを有する表示装置において成し遂げられ、当該表示装置は、更に、当該表示装置を収容する部屋において人の存在を検出する手段と、前記検出手段が、該部屋において人の存在を検出しない場合、前記ビデオ信号処理回路及び前記表示駆動回路の少なくとも１つを無効にする手段とを有する。
【０００６】
斯様な表示装置を用いると、当該表示装置を操作する者が当該表示装置を収容する部屋を離れる場合、当該表示装置は、誰かがこの部屋に再び入るまで該ディスプレイを不活性にする。該ディスプレイによって消費されるはずであった電力は、斯様にして、節約される。
【０００７】
表示装置の好ましい実施例において、前記無効にする手段は、前記ビデオ信号処理回路及び前記表示駆動回路の少なくとも１つを無効にする前に、前記検出手段が人の存在を既定の時間にわたり検出しなくなるまで待機する。斯様に構成されるので、このことは、ディスプレイが、例えば、当該表示装置を使用している者が少しの間部屋を離れる場合、不用意に不活性化されるのを防ぐ。
【０００８】
存在検出手段は、動き検出器、赤外線熱検出器又は動き検出器及び赤外線熱検出器の組合せの形であり得る。代案として、何れの他の種類のセンサも、部屋における人の存在を検出するのに用いられ得る。例えば、前記存在検出手段は、カーペット若しくは家具上等のセンサ、又は電波方式認証（ＲＦＩＤ）タグ型の検出器等であり得る。事実、住居居住者の存在の検出及び認証用のこれらの種類のセンサは、未来の家庭環境において実際に使用され得る。
【０００９】
本発明の特に好ましい実施例は、表示装置がテレビ受信機において組み込まれるものである。
【発明を実施するための最良の形態】
【００１０】
以後述べるような上記及び追加的な目的及び効果を考慮し、本発明は、添付する図面を参照にして説明される。
【００１１】
図１は、ドア２を有する部屋１の平面図を示す。部屋１は、例えばソファ３及び椅子４を含む。加えて、テレビ受信機５は、ドア２の反対側の壁に寄せて位置される。テレビ受信機５は、テレビ受信機５内に（又は上に）搭載された、部屋１における１人以上の人の存在を検出する存在検出器６を含む。存在検出器６は、一般的に、破線７によって囲まれた領域内の人の存在を検出する。人が部屋の中で、例えば、ソファ３又は椅子４のどちらに座っている場合、テレビ受信機５は、通常通り動作し、すなわち、オンになっている場合、像がスクリーン上に現れ、適切な音が、スピーカによって放出される。しかしながら、この人が、例えば、テレビ受信機５をオフにせずにドア２を介して部屋を離れる場合、存在検出器６は、彼又は彼女の不在を検出する。既定の時間の後、この人（又は他の誰か）が、この部屋に再び入らなかった場合、存在検出器６は、テレビ受信機５のオーディオ部分のみが活動状態のままにある一方で、テレビ受信機５にビデオ部分のスイッチをオフにさせる。
【００１２】
図２は、テレビ受信機５及び検出器６の概略ブロック図を示す。このテレビ受信機は、放送テレビ信号を受信するアンテナ１０を含む。アンテナが示されているものの、このアンテナは、ケーブルテレビ・システム用のケーブル接続、衛星テレビ受信機又は何らかの他のビデオ・ソース、例えばビデオ・カセット録画機若しくは再生機又はＤＶＤ再生機等、への接続によって置き換えられ得ることを理解されるべきである。アンテナ１０は、放送テレビ信号の特定の１つへ同調するチューナ１２へ連結される。チューナ１２の出力は、テレビ信号をオーディオ信号、ビデオ信号及び同期信号へ分離する復調器１４へ連結される。
【００１３】
前記オーディオ信号は、オーディオ信号を音信号へ処理するオーディオ信号処理回路１６へ供給される。これらの音信号は、オーディオ増幅器１８において増幅され、その後スピーカ２０へ供給される。
【００１４】
前記ビデオ信号は、ビデオ信号を表示信号へ処理するビデオ信号処理回路２２へ供給される。前記表示信号は、ビデオ増幅器２４において増幅された後、可視画像を生成するディスプレイ２６へ供給される。
【００１５】
また、前記同期回路は、陰極線管用の偏向回路であり得る、表示駆動回路２８へ供給される。表示駆動回路２８は、前記可視画像を生成することにおけるディスプレイ２６を制御する制御信号（例えば、偏向信号）を発生する。
【００１６】
制御ユニット３０は、放送テレビ信号の所望の一つを選択するチューナ１２と、スピーカ２０によって再現される音信号の全体的な品質と音の大きさを調整するオーディオ信号処理回路１６及びオーディオ増幅器１８と、ディスプレイ２６によって表示されるべき表示信号のビデオ品質を調節するビデオ信号処理回路２２及びビデオ増幅器２４と、表示駆動回路２８とを制御するのに含まれる。
【００１７】
図２に示されるように、存在検出器６は、制御ユニット３０へ連結された動き検出器３２を含む。たいてい、部屋でテレビ受信機を見ている者は、一般的に、例えば、飲むためのグラスを持ち上げる、うとうとする、彼又は彼女の手で身ぶりをする等の、ある程度の動きをする。動き検出器３２が、何の動きも検出せず、人が部屋を離れたことを示す場合、動き検出器３２は、同じことを制御ユニット３０に対し知らせ、その後制御ユニット３０は、表示駆動回路２８、ビデオ信号処理回路２２及びビデオ増幅器２４への制御信号を用いてディスプレイ２６をオフにする。その後、動き検出器３２が、人が戻ったことを示す部屋の中の動きを検出する場合、動き検出器３２は、このことを制御ユニット３０へ知らせ、ビデオ信号処理回路２２、ビデオ増幅回路２４及び表示駆動回路２８への制御信号を用いてディスプレイ２６を再び活動状態にする。人がほんの短時間だけ部屋を離れた部屋のディスプレイ２６を不用意にオフにすることを防ぐため、制御ユニット３０は、動き検出器３２が、何の動きも既定の時間検出しなくなるまで、ディスプレイ２６をオフにするのを遅らせ得る。
【００１８】
図２に示されるように、存在検出器６は、部屋の中の人の存在を追加的に検出する赤外線熱（ＩＲ）検出器３４も含み得る。既知であるように、生きた人間は、熱を発生する。これは、ＩＲ検出器３４によって検出され得る。人が部屋を離れる場合、その後、部屋において動き検出器３２によって検出される動きの欠如に加えて、この発生された熱の欠如は、ＩＲ検出器３４によって検出され得る。
【００１９】
ここにおいて開示される構造の多数の修正及び変更は、当業者に発想され得るものである。しかし、上述の実施例は、例証の目的のためのみのものであり、本発明の制限として説明されるべきでないと理解されるべきである。本発明の真意から逸脱しない全ての斯様な変更は、添付の請求項の範囲内に包含される。
【図面の簡単な説明】
【００２０】
【図１】図１は、本発明に従うテレビ受信機を収容する部屋の平面図を示す。
【図２】図２は、本発明と組み合わせるテレビ受信機のブロック概略図を示す。
【図１】
2005539269.tif 000003
【図２】
2005539269.tif 000004
【国際調査報告】
2005539269.tif 000005
2005539269.tif 000006
2005539269.tif 000007